(57)【要約】【課題】  エアフィルタの自動清掃機能を備えた空気調和機において、エアフィルタに付着したゴミを確実に除去でき、除去したゴミを周囲に飛散させることなく保管できるようにする。【解決手段】  室内機ユニットの内部に配置されるフィルタ清掃部３００の内部に、エアフィルタの一方の面に接触する上ブラシ３４４ａ，３４４ｂと、エアフィルタ５の他方の面に接触する下ブラシ３２２ａ，３２２ｂとを対向して配置してなる清掃ユニット３００Ａ，３００Ｂをフィルタ清掃部３００のフィルタ出入口３５０ａ，３５０ｂにそれぞれ配置する。【選択図】  図３
2006071206.tif 000002
【特許請求の範囲】
【請求項１】
空気吸込口と空気吹出口とを有し、上記空気吸込口の内側にエアフィルタが配置されている室内機筐体を備え、上記室内機筐体内に、上記エアフィルタの一部分の表裏両面を囲む清掃ケースを備えたフィルタ清掃部と、上記エアフィルタもしくは上記フィルタ清掃部のいずれか一方を移動させる清掃時駆動手段とが設けられており、上記清掃時駆動手段にて上記エアフィルタと上記フィルタ清掃部とを相対的に移動させて上記エアフィルタを清掃する空気調和機において、
上記フィルタ清掃部は、上記清掃ケースの一方のフィルタ出入口側に配置された第１清掃ユニットと、上記清掃ケースの他方のフィルタ出入口側に配置された第２清掃ユニットとを備え、上記各清掃ユニットの間がゴミ回収部に割り当てられていることを特徴とする空気調和機。
【請求項２】
上記各清掃ユニット内には上記エアフィルタに接触する清掃ブラシが含まれており、上記各清掃ブラシはともに上記ゴミ回収部側に傾斜付けられた傾斜ブラシであることを特徴とする請求項１に記載の空気調和機。
【請求項３】
上記各清掃ブラシは、上記エアフィルタの一方の面に接触する上ブラシと、上記エアフィルタの他方の面に接触する下ブラシとを含み、上記上ブラシと上記下ブラシとを上記エアフィルタを挟んで対向的に配置してなることを特徴とする請求項１または２に記載の空気調和機。
【請求項４】
上記清掃ケース内には、上記上ブラシと上記下ブラシの少なくとも一方を上記エアフィルタ側に向けて押圧する押圧手段が設けられていることを特徴とする請求項１，２または３に記載の空気調和機。
【請求項５】
上記清掃ケースは開閉可能に組み合わされたボトムカバーとトップカバーとを備え、上記各清掃ユニットに含まれる２つの下ブラシはそれぞれボトムカバー側に支持され、上記各清掃ユニットに含まれる２つの上ブラシはそれぞれ上記トップカバー側に支持されていることを特徴とする請求項３ないし４のいずれか１項に記載の空気調和機。
【請求項６】
上記一方の上ブラシは上記トップカバーに軸支された第１回動アームに支持され、上記他方の上ブラシは上記トップカバーに軸支された第２回動アームに支持されていることを特徴とする請求項５に記載の空気調和機。
【請求項７】
上記第１回動アームの上記トップカバーに対する軸支点が上記他方の上ブラシ側に配置され、上記第２回動アームの上記トップカバーに対する軸支点が上記一方の上ブラシ側に配置されていることを特徴とする請求項６に記載の空気調和機。
【請求項８】
上記押圧手段として、上記エアフィルタの移動方向に応じて選択的に動作する押圧カムが用いられることを特徴とする請求項４に記載の空気調和機。
【発明の詳細な説明】
【技術分野】
【０００１】
本発明は汚れたエアフィルタを自動的に清掃するフィルタ清掃機能を備えた空気調和機に関し、さらに詳しく言えば、エアフィルタに付着したゴミを周囲に飛散させることなく確実に除去することができるフィルタ清掃機能を備えた空気調和機に関する。
【背景技術】
【０００２】
空気調和機（室内ユニット）には、空気吸込口から内部にゴミが流入するのを防止するための防塵用のエアフィルタが取り付けられている。通常、このエアフィルタは室内ユニットに着脱可能に取り付けられており、その清掃は使用者が時期を見て適宜行うようにしている。
【０００３】
しかしながら、空気調和機は一般的に室内の高所に設けられているため、エアフィルタの取り外し作業は面倒であり、特に高齢者や女性にとっては困難な作業となる。そこで、本出願人はエアフィルタの清掃作業を自動化した空気調和機を提案している。
【０００４】
その一例として、特許文献１に記載の発明においては、エアフィルタを移動可能にするとともに、室内ユニット内にダストボックスに清掃ブラシを内蔵させたエアフィルタ清掃部を設け、そのダストボックス内にエアフィルタを通過させることにより、自動的にエアフィルタの清掃が行われるようにしている。
【０００５】
これによれば、人手を煩わすことなくエアフィルタを清掃することができるが、ダストボックス内にエアフィルタを通過させて、それに付着しているゴミをブラシにより掻き落とす構造であるため、掻き落としたゴミがエアフィルタの移動に伴ってダストボックスから持ち出されるおそれがある。
【０００６】
これを防止するため、特許文献１に記載の発明では、ダストボックスのフィルタ出入口にスクレーパを設けている。このスクレーパは、エアフィルタの移動を検知してエアフィルタの往動時は開き、エアフィルタの復動時には閉じるようになっているが、その開閉構造が複雑であるため、部品コストや組立作業性の点で好ましくない。
【０００７】
また、特許文献１に記載の発明では、フィルタとブラシの接触抵抗の少ないフィルタとフレームとを一体成型した特別なフィルタを用いているが、エアフィルタを一体成型品にした場合、成型コストが高い。また、エアフィルタが厚くなるため、通風抵抗が高くなりやすい。
【０００８】
これらの問題を解決するためには、従来式の網目シートの張ったエアフィルタを用いることにより解消されるが、網目シートを用いた場合、ブラシが網目に引っ掛かりやすく接触抵抗が大きくなりすぎる。よって、フィルタを動かすために高トルクのモータが必要になる。
【０００９】
【特許文献１】特開２００４−２８４８７号公報
【発明の開示】
【発明が解決しようとする課題】
【００１０】
本発明は、上述した課題を解決するためになされたものであって、その目的は、簡単な構成でありながら、エアフィルタに付着したゴミを確実に除去でき、除去したゴミを周囲に飛散させることなく確実に保管しておくことができるフィルタ清掃機能を備えた空気調和機を提供することにある。
【課題を解決するための手段】
【００１１】
上述した目的を達成するため、本発明は以下に示すいくつかの特徴を備えている。まず請求項１に記載の発明は、空気吸込口と空気吹出口とを有し、上記空気吸込口の内側にエアフィルタが配置されている室内機筐体を備え、上記室内機筐体内に、上記エアフィルタの一部分の表裏両面を囲む清掃ケースを備えたフィルタ清掃部と、上記エアフィルタもしくは上記フィルタ清掃部のいずれか一方を移動させる清掃時駆動手段とが設けられており、上記清掃時駆動手段にて上記エアフィルタと上記フィルタ清掃部とを相対的に移動させて上記エアフィルタを清掃する空気調和機において、上記フィルタ清掃部は、上記清掃ケースの一方のフィルタ出入口側に配置された第１清掃ユニットと、上記清掃ケースの他方のフィルタ出入口側に配置された第２清掃ユニットとを備え、上記各清掃ユニットの間がゴミ回収部に割り当てられていることを特徴としている。
【００１２】
請求項２に記載の発明は、上記請求項１において、上記各清掃ユニット内には上記エアフィルタに接触する清掃ブラシが含まれており、上記各清掃ブラシはともに上記ゴミ回収部側に傾斜付けられた傾斜ブラシであることを特徴としている。
【００１３】
請求項３に記載の発明は、上記請求項１または２において、上記各清掃ブラシは、上記エアフィルタの一方の面に接触する上ブラシと、上記エアフィルタの他方の面に接触する下ブラシとを含み、上記上ブラシと上記下ブラシとを上記エアフィルタを挟んで対向的に配置してなることを特徴としている。
【００１４】
請求項４に記載の発明は、上記請求項１，２または３において、上記清掃ケース内には、上記上ブラシと上記下ブラシの少なくとも一方を上記エアフィルタ側に向けて押圧する押圧手段が設けられていることを特徴としている。
【００１５】
請求項５に記載の発明は、上記請求項３ないし４のいずれか１項において、上記清掃ケースは開閉可能に組み合わされたボトムカバーとトップカバーとを備え、上記各清掃ユニットに含まれる２つの下ブラシはそれぞれボトムカバー側に支持され、上記各清掃ユニットに含まれる２つの上ブラシはそれぞれ上記トップカバー側に支持されていることを特徴としている。
【００１６】
請求項６に記載の発明は、上記請求項５において、上記一方の上ブラシは上記トップカバーに軸支された第１回動アームに支持され、上記他方の上ブラシは上記トップカバーに軸支された第２回動アームに支持されていることを特徴としている。
【００１７】
請求項７に記載の発明は、上記請求項６において、上記第１回動アームの上記トップカバーに対する軸支点が上記他方の上ブラシ側に配置され、上記第２回動アームの上記トップカバーに対する軸支点が上記一方の上ブラシ側に配置されていることを特徴としている。
【００１８】
請求項８に記載の発明は、上記請求項４において、上記押圧手段として、上記エアフィルタの移動方向に応じて選択的に動作する押圧カムが用いられることを特徴としている。
【発明の効果】
【００１９】
請求項１および３に記載の発明によれば、清掃ケースの各フィルタ出入口に対向的に配置された上ブラシと下ブラシとを含む清掃ユニットがそれぞれ設けられていることにより、エアフィルタの出入りによって除去されたゴミが再び清掃ケース外へと持ち出されることを確実に防止することができる。
【００２０】
請求項２に記載の発明によれば、各清掃ユニットにおける上ブラシと上記下ブラシはともにゴミ回収部側（反フィルタ出入口側）に傾斜付けられた傾斜ブラシであるため、入り口側のブラシでは取りきれなかったゴミの一部が出口側のブラシで掻き落とされる。
【００２１】
請求項４に記載の発明によれば、上ブラシと下ブラシの少なくとも一方が押圧手段によりエアフィルタ側に向けて押圧されるため、エアフィルタの移動方向に対して順目となるブラシについてはエアフィルタに対する密着性がより高められ、逆目となるブラシについてはエアフィルタからの浮きを押さえることができる。
【００２２】
請求項５に記載の発明によれば、清掃ケースが開閉可能に組み合わされたボトムカバーとトップカバーとから構成され、下ブラシはボトムカバー側に支持され、上ブラシはトップカバー側に支持されるようにしたことにより、エアフィルタに対する清掃ケースの着脱を容易に行うことができる。
【００２３】
請求項６に記載の発明によれば、一方の上ブラシと他方の上ブラシとが、それぞれ第１回動アームと第２回動アームとによりトップカバーに支持されているため、清掃ケースを開いて回収したゴミを捨てる際、上ブラシを邪魔にならない位置に動かすことができ、清掃ケース内をきれにい掃除することができる。
【００２４】
請求項７に記載の発明によれば、第１回動アームのトップカバーに対する軸支点が他方の上ブラシ側に配置され、これに対して第２回動アームのトップカバーに対する軸支点が一方の上ブラシ側に配置されているため、ブラシを回動アームを介してトップカバーに支持させる場合、清掃ケースの幅をより狭くすることができる。
【００２５】
請求項８に記載の発明によれば、ブラシの押圧手段として、エアフィルタの移動方向に応じて選択的に動作する押圧カムを用いることにより、エアフィルタに対するブラシ圧をより適切にコントロールすることができる。
【発明を実施するための最良の形態】
【００２６】
次に、図面を参照しながら本発明の実施形態について説明する。図１は本発明による空気調和機（室内機ユニット）の一例を示す断面図である。
【００２７】
この室内機ユニット１は、図示しない取付金具を介して壁面に据え付けられるベースパネル１００と、ベースパネル１００の上面から前面に掛けてを覆うようにベースパネル１００に取り付けられる上面パネル２００とを備えており、いずれも合成樹脂の成型品からなる。
【００２８】
ベースパネル１００は、壁面に沿って平行な背面パネル１１０と、背面パネル１１０の下端から前面に向けて張り出すように形成されたアンダーパネル１２０とを含み、全体が断面Ｌ字状に形成されている。
【００２９】
このベースパネル１００には、送風ファンとしてのクロスフローファン２，熱交換器ユニット３およびドレンパン４などが格納されている。ベースパネル１００の両端には熱交換器ユニット３を支持する側板（図示しない）が左右一対に設けられており、この側板の間に熱交換器ユニット３が掛け渡されている。
【００３０】
この例において、熱交換器ユニット３は３つの熱交換器ユニット３１〜３３をほぼラムダ（Λ）型に組み合わせて連結したものからなり、クロスフローファン２の上部を覆うように取り付けられている。
【００３１】
前面側熱交換器ユニット３１，３２と背面側熱交換器ユニット３３とは、その頂部が連結板３４によって連結されている。連結板３４は、吸い込まれる空気が熱交換器ユニット３をバイパスしないようにするための封止板としても機能している。ベースパネル１００の一方の側板の隣には、室内機ユニット１を駆動するための各種電源装置や電子部品などが格納された電装品箱（図示しない）が設けられている。
【００３２】
背面パネル１１０には、背面側熱交換器ユニット３２によって生成されるドレン水を受け止める露受け部１１１が形成されており、露受け部１１１の背面下部には、各種配管や電線などが収納される収納部１１２が設けられている。
【００３３】
アンダーパネル１２０には、クロスフローファン２の送風作用によって空気を室内に向けて送出するための空気吹出口１２１が形成されている。空気吹出口１２１には、空気の吹出方向を変えるための上下風向板および左右風向板のほかに、例えば急速暖房もしくは急速冷房運転時に床方向に向かって開くディフューザー（ともに図示しない）が設けられてよい。
【００３４】
ベースパネル１００には熱交換器ユニット３を覆うように上面パネル２００が取り付けられる。上面パネル２００は後端側に設けられた図示しない係止爪を介してベースパネル１００の背面パネル１１０の上端に固定され、先端がアンダーパネル１２０の先端側に向かってアーチ状に掛け渡されている。
【００３５】
この例によると、上面パネル２００にはほぼ全面にわたって空気吸込口２１０が設けられている。空気吸込口２１０はグリル桟状に形成されてよく、その開口面積は熱交換器ユニット３の上部投影面積よりも大きいことが好ましい。
【００３６】
この例において、上面パネル２００の前面には、室内ユニットの外に向けて移動するエアフィルタによって押し開かれる開閉パネル２２０が設けられている。開閉パネル２２０は上端側を中心に回転可能に軸支されており、エアフィルタ５の往方向移動時（室内ユニットの外に向けて排出される移動時）には、他端側がエアフィルタ５によって持ち上げられ、これによりエアフィルタ５が室内ユニットの外に引き出される。
【００３７】
図２に示すように、上面パネル２００の前面にはさらに、フィルタ駆動手段としての駆動モータ（図示しない）が設けられており、上面パネル２００の一部には駆動モータに連結された駆動ギア６の一部が露出している。駆動モータは制御手段によって制御されている。
【００３８】
上面パネル２００の内側（熱交換器３０側）には空気中のゴミを捕捉するためのエアフィルタ５が空気吸込口２１０に沿って配置されている。エアフィルタ５の裏面側（熱交換器３側）には、上記駆動ギア６に噛み合わされるラックギア（図示しない）が設けられており、このラックギアと駆動ギア６の組み合わせによってエアフィルタ５が往復動する。
【００３９】
この例において、エアフィルタ５には合成樹脂製のフレームにネット状のフィルタシートを貼り合わせたものが用いられるが、空気調和機に用いられている一般的なエアフィルタであってもよい。
【００４０】
上面パネル２００と開閉パネル２２０との間には、エアフィルタ５に付着したゴミを除去するフィルタ清掃部３００が設けられている。この例において、室内機ユニット１には２枚のエアフィルタ５が設置されており、これに伴いフィルタ清掃部３００も２箇所に設置されているが、各フィルタ清掃部３００はいずれも同じ構成であるため、その一方について説明する。
【００４１】
図３および図４を参照して、フィルタ清掃部３００は上面パネル２００側に載置されるボトムカバー３１０と、同ボトムカバー３１０に被せられるトップカバー３３０とからなるダストボックスを備えている。ダストボックスを合成樹脂製とする場合には、その樹脂材に防かび剤や抗菌剤などを含有させることが好ましい。
【００４２】
ボトムカバー３１０とトップカバー３３０は、図４に示すように、一端側がヒンジ部３０１を介して連結され他端側が開閉可能である。図２に示すように、トップカバー３３０の両端には、ボトムカバー３１０に対するスライド式のロックレバー３０２が設けられている。
【００４３】
ボトムカバー３１０は、内部にゴミを収納可能な収納スペース３１１を有する細長いペン皿状に形成されている。ボトムカバー３１０は少なくともエアフィルタ５の幅よりも長い長さを備えている。ボトムカバー３１０の内部には、エアフィルタ５の裏面側（熱交換器側）に接触する一対の第１清掃部３２０ａ，３２０ｂが設けられている。
【００４４】
ボトムカバー３１０の底部には、ブラシ台３２１ａ，３２１ｂが一体的に形成されており、第１清掃部３２０ａ，３２０ｂは、実質的に上記ブラシ台３２１ａ，３２１ｂに植設された下ブラシ３２２ａ，３２２ｂからなる。第１清掃部３２０ａ，３２０ｂの間にゴミ回収部としての収納スペース３１１の一部が配置されている。
【００４５】
下ブラシ３２２ａ，３２２ｂは互いに向き合う方向に傾斜付けられている。すなわち、図３に示すように、一方の下ブラシ３２２ａは左斜め上方向に傾斜しており、他方の下ブラシ３２２ｂは右斜め上方向に傾斜している。
【００４６】
図４を参照して、第１清掃部３２０ａ，３２０ｂ（下ブラシ３２２ａ，３２２ｂ）は、それぞれボトムカバー３１０の長手方向に沿って２箇所ずつ配置されている。なお、この例において、第１清掃部３２０ａ，３２０ｂは、それらの間にあるエアフィルタ５の図示しないフレームを逃がすための逃がし溝３１２によって２分割（計４分割）されているが、ボトムカバー３２０の長手方向に沿って１枚であってもよい。
【００４７】
次に、トップカバー３３０は、ボトムカバー３１０の開口部周縁を塞ぐように取り付けられ、少なくともエアフィルタ５の幅よりも長い箱体に形成されており、内部に中空な収納スペース３３１を備えている。
【００４８】
トップカバー３３０の連結端側の両側面には軸受プレート３１１，３１１が設けられており、この軸受プレート３１１，３１１に設けられた回転軸がボトムカバー３１０の軸受孔（ともに図示しない）に軸支されることにより開閉可能に支持される。
【００４９】
トップカバー３３０の収納スペース３３１内には、エアフィルタ５の表面（空気吸込口２１０側の面）に接触してゴミを除去する第２清掃部３４０ａ，３４０ｂが設けられている。図３に示すように、第２清掃部３４０ａ，３４０ｂは、それぞれエアフィルタ５を挟んで上記第１清掃部３２０ａ，３２０ｂと対向する位置に設けられている。
【００５０】
第２清掃部３４０ａ，３４０ｂは、それぞれ一端側がトップカバー３３０に回転可能に軸支される回転軸３４２ａ、３４２ｂを有するアーム部（回動アーム）３４１ａ，３４１ｂと、同アーム部３４１ａ，３４１ｂの自由端側に取り付けられたブラシ台３４３ａ，３４３ｂと、同ブラシ台３４３ａ，３４３ｂ上に設けられた上ブラシ３４４ａ，３４４ｂとを備えている。
【００５１】
図３に示すように、一方のアーム部３４１ａは、トップカバー３３０の上面から開放面（下面）に向けてほぼＬ字状に形成され、その一端側には回転軸３４２ａを備えている。このアーム部３４１ａの他端側にブラシ台３４３ａが一体的に形成されている。
【００５２】
他方のアーム部３４１ｂも同様にトップカバー３３０の上面から開放面（下面）に向けてほぼＬ字状に形成され、その一端側には回転軸３４２ｂを備えている。このアーム部３４１ｂの他端側にブラシ台３４３ｂが一体的に形成されている。
【００５３】
図３に示すように、各アーム部３４１ａ，３４１ｂはトップカバー３３０の上面にそれぞれそが互いに交差するように軸支されている。すなわち、アーム部３４１ａの回転軸３４２ａは第２清掃部３４０ｂのブラシ台３４４ｂの上部側に設置されており、アーム部３４１ｂの回転軸３４２ｂは第１清掃部３４０ａのブラシ台３４４ａの上部側に設置されている。
【００５４】
一方のブラシ台３４３ａは、下面側が平坦なブラシ面とされており、そのブラシ面に一方の上ブラシ３４４ａが設けられている。他方のブラシ台３４３ｂも同様に下面側が平坦なブラシ面とされており、そのブラシ面に他方の上ブラシ３４４ｂが設けられている。
【００５５】
この例においては、図４に示すように、一方のブラシ台３４３ａはトップカバー３３０の長さ方向に沿って２つに分割して配置されており、その各々が図５に示すように回転軸３４２ａを中心として開閉するように設けられている。
【００５６】
また、他方のブラシ台３４３ｂはトップカバー３３０の長さ方向に沿って形成された１枚の板体からなり、同じく図５に示すように回転軸３４２ｂを中心として開閉するように設けられている。
【００５７】
各上ブラシ３４４ａ，３４４ｂも、上記下ブラシ３２２ａ，３２２ｂと同じく互いに向き合う方向に傾斜付けられている。すなわち、一方の上ブラシ３４４ａは左斜め下方向を向くように傾けられており、他方の上ブラシ３４４ｂは右斜め下方向を向くように傾けられている。
【００５８】
図３および図５を参照して、この例によると、トップカバー３３０と各ブラシ台３４３ａ，３４３ｂとの間には常にブラシ台３４３ａ，３４３ｂをエアフィルタ５方向（図３では下方向）に向けて押圧する押圧手段としての圧縮バネ３４５ａ，３４５ｂが設けられている。
【００５９】
圧縮バネ３４５ａ，３４５ｂは、それぞれトップカバー３３０に設けられている上面側（対ブラシ台３４３ａ、３４３ｂ面側）の一部が切り欠かれた円筒状の保持部３４６内に収納されている。圧縮バネ３４５ａ，３４５ｂは、ブラシ台３４５ａ，３４５ｂの裏面側（反傾斜ブラシ側）に設けられたリブ３４７を介してブラシ台３４３ａ，３４３ｂをエアフィルタ５方向に押圧する。
【００６０】
トップカバー３３０とボトムカバー３１０とからなるダストボックスの両端部はフィルタ出入口３５０ａ，３５０ｂとなっている。第１清掃部３２０ａの下ブラシ３２２ａと第２清掃部３４０ａの上ブラシ３４４ａとが対となって一方のフィルタ出入口３５０ａ側の清掃ユニット３００Ａとして用いられ、第１清掃部３２０ｂの下ブラシ３２２ｂと第２清掃部３４０ｂの上ブラシ３４４ｂとが対となって他方のフィルタ出入口３５０ｂ側の清掃ユニット３００Ｂとして用いられる。
【００６１】
この例において、第１清掃部３２０ａ，３２０ｂは固定式であるがバネ付勢式としてもよく、さらには第２清掃部３４０ａ，３４０ｂに採用されている可変レバー機構を同様に適用してもよい。また、この例では上ブラシ３４４ａ，３４４ｂおよび下ブラシ３２２ａ，３２２ｂは多数の線状のブラシを束ねたものから構成されているが、これ以外に図８に示すように、フィン状の板ブラシをエアフィルタ５の移動方向に沿って並べたものを用いてもよい。
【００６２】
次に、図６（ａ）〜（ｃ）を参照して、フィルタ清掃部３００の動作の一例について説明する。エアフィルタ５は常にその一部分がフィルタ清掃部３００内に置かれるが、図６（ａ）はエアフィルタ５が図１のように室内機ユニット１内に引き込まれ上面パネル２００の空気吸込口を覆っているときの状態を示している。
【００６３】
エアフィルタ５が図６（ａ）の状態にあるとき、例えばリモコンからフィルタ清掃指示信号が出されると図示しないモータが駆動され、エアフィルタ５が図６（ｂ）の左向き矢印に示す往方向（排出方向）に移動を開始する。このとき、フィルタ出入口３５０ａが「入口側」となり、他方のフィルタ出入口３５０ｂは「出口側」となる。
【００６４】
この往方向移動時、エアフィルタ５は入口３５０ａ側の清掃ユニット３００Ａに含まれる下ブラシ３２２ａと上ブラシ３４４ａとに対して、その傾斜方向に対して逆らうことなく、いわゆる順目方向に移動する。
【００６５】
可動側の上ブラシ３４４ａは、圧縮バネ３４５ａによりエアフィルタ５に密着するように付勢されているが、エアフィルタ５の移動が順目方向であることと、上ブラシ３４４ａを支持しているアーム部３４１ａの回転軸３４２ａの軸位置との関係から、エアフィルタ５に対してより強く密着する。
【００６６】
エアフィルタ５は下ブラシ３２２ａと上ブラシ３４４ａとによってこすられることにより、エアフィルタ５に付着しているゴミが各ブラシによって剥離され纏められる。さらに、ブラシの毛先がフィルタの網目に突き刺さることで、フィルタの目の中に溜まったゴミを掻き出す。
【００６７】
他方、出口３５０ｂ側の清掃ユニット３００Ｂに含まれる下ブラシ３２２ｂと上ブラシ３４４ｂは、エアフィルタ５の移動方向に対して逆向きのいわゆる逆目となるため、可動側の上ブラシ３４４ｂは、これを支持するアーム部３４１ｂの回転軸３４２ｂの軸位置との関係から、エアフィルタ５から浮き上がろうとするが、その浮き上がりが圧縮バネ３４５ｂにて阻止される。
【００６８】
これにより、入口３５０ａ側の清掃ユニット３００Ａによって掻き取られたゴミが出口３５０ｂ側の清掃ユニット３００Ｂでゴミ回収部３１１に掻き落とされるとともに、フィルタ清掃部３００のダストボックス内に溜められたゴミがエアフィルタ５によって室内に持ち出されない。
【００６９】
エアフィルタ５の往方向の移動が終了すると、図示しないモータが逆回転し、今度はエアフィルタ５が図６（ｃ）の右向き矢印に示す復方向（収納方向）に移動を開始する。このとき、フィルタ出入口３５０ｂが「入口側」となり、フィルタ出入口３５０ａは「出口側」となる。
【００７０】
このエアフィルタ５の復方向移動時には、入口３５０ｂ側の清掃ユニット３００Ｂが上記した往方向移動時の清掃ユニット３００Ａと同様に動作し、出口３５０ａ側の清掃ユニット３００Ａが上記した往方向移動時の清掃ユニット３００Ｂと同様に動作する。
【００７１】
これによれば、エアフィルタ５の上に残ったゴミを清掃するとともに、エアフィルタ５との接触抵抗を利用してブラシを振動させることにより、ブラシの間に挟まったゴミをダストボックス内に落とす、いわゆるセルフクリーンを実施することができる。
【００７２】
フィルタ清掃部３００内がゴミで一杯になった場合には、上面パネル２００を開けてフィルタ清掃部３００を取り出して開き、中に溜まったゴミを掃除機などで吸引して回収すればよい。
【００７３】
なお、上ブラシ３４４ａ，３４４ｂを下ブラシ３２２ａ，３２２ｂと同じく固定ブラシとしてもよく、このような態様も本発明に含まれるが、上記の例のように上ブラシ３４４ａ，３４４ｂを圧縮バネ３４５ａ，３４５ｂの付勢力に抗して可動とすることにより、逆目となる側の上ブラシとエアフィルタ５との摩擦抵抗が低減されるため、モータの負荷を軽くすることができる。また、下ブラシ側を可動とし上ブラシ側を固定、下ブラシおよび上ブラシをともに可動としてもよい。
【００７４】
別の例として、図７に示すように、上ブラシに対する押圧手段として押圧カム３６０を用いることもできる。この押圧カム３６０は、エアフィルタ５の往方向移動時におけるゴミの掻き落としをより確実にするためのもので、したがって図７に示すように、好ましくは一方の清掃ユニット３００Ａ側（より好ましくは上ブラシ３４０ａ側）に設けられるが、必要に応じて他方の清掃ユニット３００Ｂ側にも設けられてよい。以下の説明は、押圧カム３６０が一方の清掃ユニット３００Ａ側に設けられている場合のもので、他方の清掃ユニット３００Ｂについては上記した例と変わるところはない。
【００７５】
図７に示すように、押圧カム３６０はトップカバー３１０内において一方の清掃ユニット３００Ａに含まれる上ブラシ３４４ａと対向する位置に配置され、その回転は図示しない制御部にてエアフィルタ５の移動方向に応じて制御される。
【００７６】
図７（ａ）は図６（ａ）と同じく、エアフィルタ５が図１のように室内機ユニット１内に引き込まれ上面パネル２００の空気吸込口を覆っているときの状態を示している。この初期状態においては、上ブラシ３４４ａと下ブラシ３２２ａに余計な負荷をかけないように、押圧カム３６０は上ブラシ３４４ａから離れた位置に回転している。
【００７７】
清掃指示信号が出され、エアフィルタ５が図７（ｂ）の矢印で示す往方向の移動を開始すると、押圧カム３６０が時計回りに約９０°回転し上ブラシ３４４ａをエアフィルタ５に押し付ける。これにより、エアフィルタ５は上ブラシ３４４ａと下ブラシ３２２ａの間で圧縮バネ３４５ａによる付勢力よりも強い力で挟み付けられる。
【００７８】
この状態のまま、図７（ｃ）に示すようにエアフィルタ５を最後まで移動させ、その終端が図示しないセンサで検知された時点で、エアフィルタ５の移動が停止され、図７（ｄ）に示すように押圧カム３６０も反時計回りに約９０°回転して図７（ａ）の位置に戻される。この状態で、エアフィルタ５が復方向に移動し室内機ユニット１内に引き込まれる。復方向に移動時の動作は上記した例と同じである。
【００７９】
なお、押圧カム３６０が他方の清掃ユニット３００Ｂ側にも設けられる場合、その押圧カム３６０はエアフィルタ５の復方向移動時に清掃ユニット３００Ｂ側の上ブラシ３４４ｂを押圧する。
【００８０】
さらに別の例として、押圧カム３６０の押圧力は回転角にて調整可能であるため、圧縮バネ３４５ａ，３４５ｂの代わりとして押圧カム３６０のみを用いることもできる。すなわち、上ブラシ３４４ａ，３４４ｂのうち、エアフィルタ５の入口側となる上ブラシに対しては押圧カム３６０により強い力を加え、出口側となる上ブラシに対しては押圧カム３６０による押圧力を弱めるようにする。
【００８１】
また、上記した例では、図１に示すようにフィルタ清掃部３００に対してエアフィルタ５を移動させるようにしているが、エアフィルタ５の位置を固定とし、フィルタ清掃部３００側をそのエアフィルタ５に沿って移動させるようにしてもよい。
【産業上の利用可能性】
【００８２】
以上、室外機と室内機とが分離されているスプリット型でシーリングウォール型の空気調和機の室内機ユニットを例にして本発明を説明したが、本発明はこれに限定されるものではない。本発明は、例えば床起き式空気調和機，一つの筐体内に室内機と室外機とを収納した一体型空気調和機，また、熱源で言えばガス燃焼式空気調和機，温水循環式空気調和機など、エアフィルタを有する空気調和機に広く利用することができる。
【図面の簡単な説明】
【００８３】
【図１】本発明による空気調和機（室内機ユニット）の一例を示す断面図。
【図２】上記空気調和機のフィルタ清掃部を取り外した状態を示す分解斜視図。
【図３】上記フィルタ清掃部の要部断面図。
【図４】上記フィルタ清掃部を開いた状態を示す斜視図。
【図５】上記フィルタ清掃部のトップカバーのブラシ台をさらに開いた状態を示す斜視図。
【図６】上記フィルタ清掃部の動作を説明するための説明図。
【図７】上記フィルタ清掃部の押圧手段の変形例を説明するための説明図。
【図８】清掃ブラシの変形例を示す斜視図。
【符号の説明】
【００８４】
１  空気調和機（室内機ユニット）
２  クロスフローファン
３  熱交換器ユニット
４  ドレンパン
５  エアフィルタ
６  駆動ギア
１００  ベースパネル
２００  上面パネル
３００  フィルタ清掃部
３００Ａ，３００Ｂ  清掃ユニット
３１０  ボトムカバー
３２０ａ，３２０ｂ  第１清掃部
３２１ａ，３２１ｂ  ブラシ台
３２２ａ，３２２ｂ  下ブラシ
３３０  トップカバー
３４０ａ，３４０ｂ  第２清掃部
３４１ａ，３４１ｂ  アーム部
３４２ａ，３４２ｂ  回転軸
３４３ａ，３４３ｂ  ブラシ台
３４４ａ，３４４ｂ  上ブラシ
３４５ａ，３４５ｂ  圧縮バネ
３５０ａ，３５０ｂ  フィルタ出入口
３６０  押圧カム
【図１】
2006071206.tif 000003
【図２】
2006071206.tif 000004
【図３】
2006071206.tif 000005
【図４】
2006071206.tif 000006
【図５】
2006071206.tif 000007
【図６】
2006071206.tif 000008
【図７】
2006071206.tif 000009
【図８】
2006071206.tif 000010